(57)【特許請求の範囲】
【請求項１】
押しボタンの操作部がハウジングの取付面に形成された開口部に取り付けられた押しボタンスイッチ装置であって、
上記開口部は、上記ハウジングの取付面に形成されたすり鉢状部と、上記取付面と対向する裏面から上記すり鉢状部の底部まで貫通し、その内径が上記底部に向かって次第に小さくなるように傾斜が付けられて形成された裁頭円錐状の内面部とからなり、
上記操作部は弾性を有する材料からなり、上記操作部の外径は、上記開口部の最小内径より大きく形成され、それにより、上記操作部は、その弾性によって上記内面部に密着して上記ハウジングの前記開口部を径方向でシールすることを特徴とする押しボタンスイッチ装置。
【請求項２】
前記操作部の上部に、前記開口部の最小内径より径の大きい鍔部が形成されていることを特徴とする請求項１記載の押しボタンスイッチ装置。
【請求項３】
前記押しボタンは、前記操作部の下部に形成された押圧部を有し、上記押圧部は、ガスメータの遮断弁の復帰スイッチを押圧することを特徴とする請求項１または２記載の押しボタンスイッチ装置。
【発明の詳細な説明】
【０００１】
【発明の属する技術分野】
本発明は、押しボタンスイッチ装置に関するものである。
【０００２】
【従来の技術】
図２は、従来の押しボタンスイッチ装置の一例を示し、遮断弁を備えるガスメータの復帰スイッチ装置として使用されている場合を示す。図２において、ガスメータ１の遮断弁の復帰ボタン１０は、ガスメータの前面パネルを形成するハウジング２の開口部３に収納されている。開口部３は、ハウジング２の表面２ａに形成されたすり鉢状部３ａと、すり鉢状部３ａの底部からハウジング２の裏面２ｂへ貫通して一定内径に形成された円筒状の内面部３ｂとからなる。
【０００３】
復帰ボタン１０は、ゴム等の弾性を有する材料からなり、円筒状の操作部１０ａと、操作部１０ａの下部外周から延長して形成されたリング状の取付部１０ｂと、操作部１０ａの中央下部に形成された円柱状の押圧部１０ｃとを有する。
【０００４】
復帰ボタン１０は、操作部１０ａを開口部３に挿入し、ハウジング２の裏面２ｂに形成された環状の溝４に取付部１０ｂを挿入し、金属からなる円盤状の押さえ板５でネジ６により固定されている。操作部１０ａは、ハウジングの表面２ａから凹んだ位置になるように取り付けられている。
【０００５】
そして、この復帰ボタン１０を押すことにより、押圧部１０ｃで、ハウジング２内に設置されたマイコン基板上のマイクロスイッチ（遮断弁の復帰スイッチとして動作するが、ここでは図示しない）を押す構造になっている。
【０００６】
【発明が解決しようとする課題】
上述の構造においては、ハウジング２の内部への防水性は確保されているが、矢印Ｘで示す丸枠に見られるように、復帰ボタン１０の操作部１０ａの先端周辺においてハウジング２の開口部３との間に隙間が生じているために、雨水等が復帰ボタン１０の周囲に溜まりやすく、ハウジング２に腐食が発生しやすくなるという問題がある。
【０００７】
そこで本発明は、上述した従来の問題点に鑑み、ハウジングの腐食を防止することができる押しボタンスイッチ装置を提供することを目的としている。
【０００８】
【課題を解決するための手段】
上記課題を解決するためになされた請求項１記載の発明は、押しボタンの操作部がハウジングの取付面に形成された開口部に取り付けられた押しボタンスイッチ装置であって、上記開口部は、上記ハウジングの取付面に形成されたすり鉢状部と、上記取付面と対向する裏面から上記すり鉢状部の底部まで貫通し、その内径が上記底部に向かって次第に小さくなるように傾斜が付けられて形成された裁頭円錐状の内面部とからなり、上記操作部は弾性を有する材料からなり、上記操作部の外径は、上記開口部の最小内径より大きく形成され、それにより、上記操作部は、その弾性によって上記内面部に密着して上記ハウジングの前記開口部を径方向でシールすることを特徴とする押しボタンスイッチ装置に存する。
【０００９】
請求項１記載の発明においては、押しボタンスイッチ装置は、押しボタンの操作部がハウジングの取付面に形成された開口部に取り付けられた押しボタンスイッチ装置であって、開口部は、ハウジングの取付面に形成されたすり鉢状部と、取付面と対向する裏面からすり鉢状部の底部まで貫通し、その内径が底部に向かって次第に小さくなるように傾斜が付けられて形成された裁頭円錐状の内面部とからなり、操作部は弾性を有する材料からなり、操作部の外径は、開口部の最小内径より大きく形成され、それにより、操作部は、その弾性によって内面部に密着してハウジングの開口部を径方向でシールする。
【００１０】
それにより、押しボタンの操作部の先端周辺においてハウジングの開口部との間に隙間が生じることがなく、雨水等が復帰ボタンの周囲に溜まらないので、ハウジングの腐食を防止することができる。
【００１１】
上記課題を解決するためになされた請求項２記載の発明は、前記操作部１０ａの上部に、前記開口部３の最小内径より径の大きい鍔部１０ｄが形成されていることを特徴とする請求項１記載の押しボタンスイッチ装置に存する。
【００１２】
請求項２記載の発明においては、操作部の上部に、開口部の最小内径より径の大きい鍔部が形成されている。それにより、二重の防水構造となるので、防水性能が向上する。
【００１３】
上記課題を解決するためになされた請求項３記載の発明は、前記押しボタン１０は、前記操作部１０ａの下部に形成された押圧部１０ｃを有し、上記押圧部１０ｃは、ガスメータの遮断弁の復帰スイッチを押圧することを特徴とする請求項１または２記載の押しボタンスイッチ装置に存する。
【００１４】
請求項３記載の発明においては、押しボタンは、操作部の下部に形成された押圧部を有し、押圧部は、ガスメータの遮断弁の復帰スイッチを押圧する。それにより、復帰スイッチ装置におけるハウジングの腐食を防止することができる。
【００１５】
【発明の実施の形態】
以下、本発明の実施の形態を図面に基づいて説明する。図１は、本発明に係る押しボタンスイッチ装置の実施の形態を示す断面図である。図１において、図２と同一構成要素は、同一符号を付して説明する。押しボタンとしての復帰ボタン１０は、ガスメータ１の前面パネルを形成するハウジング２の開口部３に収納されている。開口部３は、ハウジング２の取付面２ａに形成されたすり鉢状部３ａと、ハウジング２の裏面２ｂからすり鉢状部３ａの底部まで貫通し、その内径が底部に向かって次第に小さくなるように傾斜が付けられて形成された裁頭円錐状の内面部３ｂとからなる。
【００１６】
復帰ボタン１０は、ゴム等の弾性を有する材料からなり、円筒状の操作部１０ａと、操作部１０ａの下部外周から延長して形成されたリング状の取付部１０ｂと、操作部１０ａの中央下部に形成された円柱状の押圧部１０ｃと、操作部１０ａの上部に形成された、開口部３の裁頭円錐状の内面部３ｂの最小内径より径の大きい鍔部１０ｄと有する。操作部１０ａの外径Ｂは、裁頭円錐状の内面部３ｂの最小内径Ａより大きく設定されている。
【００１７】
復帰ボタン１０は、操作部１０ａを開口部３に挿入し、ハウジング２の裏面２ｂに形成された環状の溝４に取付部１０ｂを挿入し、金属からなる円盤状の押さえ板５でネジ６により固定されている。操作部１０ａは、ハウジングの表面２ａから凹んだ位置になるように取り付けられている。
【００１８】
そして、この復帰ボタン１０を押すことにより、押圧部１０ｃで、ハウジング２内に設置されたマイコン基板に実装された、遮断弁復帰用の復帰スイッチとして機能するマイクロスイッチを押す構造になっている。
【００１９】
上述の構成では、開口部３の裁頭円錐状の内面部３ｂの内径が、ハウジング２の裏面２ｂからすり鉢状部３ａの底部に向かって次第に小さくなるように傾斜が付けられて形成されると共に、操作部１０ａの外径Ｂが裁頭円錐状の内面部３ｂの最小内径Ａより大きく設定されているので、取付後の押しボタン１０の操作部１０ａは、その弾性により裁頭円錐状の内面部３ｂに密着し、ハウジング２の開口部３を径方向でシールする。また、鍔部１０ｄが、その弾性により変形して裁頭円錐状の内面部３ｂに連結するすり鉢状部３ａの底部を覆うので、上述のシール構造との二重の防水構造となっている。
【００２０】
したがって、復帰ボタン１０の操作部１０ａの先端周辺においてハウジング２の開口部３との間に隙間が生じることがなく、雨水等が復帰ボタン１０の周囲に溜まらないので、ハウジング２の腐食を防止することができる。
【００２１】
以上の通り、本発明の実施の形態について説明したが、本発明はこれに限らず、種々の変形、応用が可能である。
【００２２】
例えば、上述の実施の形態では、本発明をガスメータの復帰スイッチ装置に適用しているが、これに限らず、本発明は他の機器に適用可能である。
【００２３】
【発明の効果】
請求項１記載の発明によれば、復帰ボタンの操作部の先端周辺においてハウジングの開口部との間に隙間が生じることがなく、雨水等が復帰ボタンの周囲に溜まらないので、ハウジングの腐食を防止することができる。
【００２４】
請求項２記載の発明によれば、二重の防水構造となるので、防水性能が向上する。
【００２５】
請求項３記載の発明によれば、復帰スイッチ装置におけるハウジングの腐食を防止することができる。
【図面の簡単な説明】
【図１】本発明に係る押しボタンスイッチ装置の実施の形態を示し、（Ａ）は、押しボタンスイッチ装置の断面図及び一部拡大図、（Ｂ）は操作部の断面図及び一部拡大図である。
【図２】従来の押しボタンスイッチ装置の一例として遮断弁を備えるガスメータの復帰スイッチ装置として使用されている場合を示し、（Ａ）は、ガスメータの外観図、（Ｂ）は押しボタンスイッチ装置の断面図、（Ｃ）は操作部の断面図である。
【符号の説明】
２      ハウジング
２ａ    取付面（表面）
２ｂ    裏面
３      開口部
３ａ    すり鉢状部
３ｂ    内面部
１０    押しボタン（復帰ボタン）
１０ａ  操作部
１０ｂ  取付部
１０ｃ  押圧部
１０ｄ  鍔部
【図１】
0003940289.tif 000002
【図２】
0003940289.tif 000003